(57)【要約】【課題】小型且つ低コストで操作性の良好な整髪用レザーを提供する。【解決手段】Ｔ型レザーホルダ２のヘッド部４へ着脱自在なヘッドカバー７は、前面に窓８が形成されており、窓は複数の縦型セパレータ９によって区切られている。ヘッド部へヘッドカバーを装着し、ヘッドカバーの前面を毛髪に当てて毛髪をカットする。レザーホルダ部とハンドル部が直線的に配置されている形状のものよりも初心者にとっては操作しやすく、レザーが頭皮に接触する虞もないので安全に整髪を行うことができ、またレザー５自体も小型であるので低コストで製造することができる。【選択図】  図１
2004243041.tif 000002
【特許請求の範囲】
【請求項１】
レザーを保持するヘッド部と、ヘッド部に対して直角に接続したハンドル部を備えたＴ型レザーホルダであって、ヘッド部の前面に複数の縦型セパレータを並列配置し、人体の皮膚などへレザーが直接接触しないように形成した整髪用レザー。
【請求項２】
レザーを保持するヘッド部と、ヘッド部に対して直角に接続したハンドル部を備えたＴ型レザーホルダであって、ヘッド部の前面に櫛歯を配置し、人体の皮膚などへレザーが直接接触しないように形成した整髪用レザー。
【請求項３】
上記縦型セパレータは、湾曲した凸面形状である請求項１記載の整髪用レザー。
【請求項４】
ヘッド部へ着脱自在なヘッドカバーに上記縦型セパレータまたは櫛歯を形成した請求項１、２または３記載の整髪用レザー。
【請求項５】
上記縦型セパレータまたは櫛歯とヘッド部を一体成形した請求項１、２または３記載の整髪用レザー。
【発明の詳細な説明】
【０００１】
【発明の属する技術分野】
この発明は、整髪用レザーに関するものであり、特に小型化と操作性の向上を図った整髪用レザーに関するものである。
【０００２】
【従来の技術】
主として一般家庭での使用を目的とした整髪用レザーは、安全のためにレザーホルダ部に櫛歯を設けてレザーを櫛歯とハンドル部の調整にてカバーし、レザーが直接人体に接触しないようにすると同時に櫛歯とハンドルの調整にて頭皮とレザーとの間隔を保って髪を短く切り過ぎないようにしている。全体的形状はレザーホルダ部とハンドル部が直線的に連続した形状のものが一般的であり（例えば特許文献１、特許文献２）、また、ハンドル部に代えてリング部を設け、指をリング部に挿入して使用するように構成したものも知られている（例えば特許文献３、特許文献４）。
【０００３】
【特許文献１】特開２００１−１７０３７６号公報
【０００４】
【特許文献２】特開平１１−０９００６０号公報
【０００５】
【特許文献３】特開２００１−０００７５７号公報
【０００６】
【特許文献４】特開平６−１５４４３６号公報
【０００７】
【発明が解決しようとする課題】
従来のレザーホルダ部とハンドル部が直線的に連続した形状の整髪用レザーはカットするレザーの角度を決めるのに、  主にハンドルの持ち方によって調整するため、  部分的に髪を短くカットし過ぎることもある。また、ハンドル部に代えてリング部を設け、指をリング部に挿入するように構成した整髪用レザーは、一見取扱いが簡単に思われるが一本の指に装着して使用するので、整髪にあたって手首を回しつつレザーと髪の当たり具合を調節することになり、複数の指でハンドル部をつまんで髪のカットを行う形式のものに比較して微妙な操作がしにくく、必ずしも使いやすいものとはいい得ない。
【０００８】
そこで、小型且つ低コストで操作性の良好な整髪用レザーを提供するために解決すべき技術的課題が生じてくるのであり、本発明は、整髪用レザーに対して、ハンドルがＴ型のため髪をカットするレザーの角度が安定するため、  上記課題を解決することを目的とする。
【０００９】
【課題を解決するための手段】
この発明は、上記目的を達成するために提案するものであり、レザーを保持するヘッド部と、ヘッド部に対して直角に接続したハンドル部を備えたＴ型レザーホルダであって、ヘッド部の前面に複数の縦型セパレータを並列配置し、人体の皮膚などへレザーが直接接触しないように形成した整髪用レザーを提供するものである。
【００１０】
また、レザーを保持するヘッド部と、ヘッド部に対して直角に接続したハンドル部を備えたＴ型レザーホルダであって、ヘッド部の前面に櫛歯を配置し、人体の皮膚などへレザーが直接接触しないように形成した整髪用レザーを提供するものである。
【００１１】
また、上記縦型セパレータは、湾曲した凸面形状である整髪用レザーを提供するものである。
【００１２】
また、ヘッド部へ着脱自在なヘッドカバーに上記縦型セパレータまたは櫛歯を形成した整髪用レザーを提供するものである。
【００１３】
また、上記縦型セパレータまたは櫛歯とヘッド部を一体成形した整髪用レザーを提供するものである。
【００１４】
【発明の実施の形態】
以下、この発明の実施の一形態を図に従って詳述する。図１は整髪用レザー１を示し、２はレザーホルダであり、図において垂直なハンドル部３の上端に水平なヘッド部４を接続したＴ型レザーホルダである。ヘッド部４の前面は左右両端部が前方へ突出しており、両端部間に二枚のレザー５がスペーサ６を介して平行に配置されている。
【００１５】
７はヘッドカバーであり、ヘッド部４の前方からヘッド部４へ嵌合させることができるように背面が開放されていて、前面にレザー５を露出させるための窓８が形成されており、窓８は一定間隔で設けた複数の凸面形状の縦型セパレータ９によって区切られている。ヘッドカバー７の底面部の内側には突起１０が設けられていて、レザーホルダ２へヘッドカバー７を装着したときに図４に示すようにレザーホルダ２の底面の凹部１１に突起１０が係合してヘッドカバー７が固定される。
【００１６】
図２乃至図４はレザーホルダ２へヘッドカバー７を装着した状態を示し、レザー５の先端は窓８よりもやや奥まった位置にあり、ヘッドカバー７の前面を人体や他の物体にあててもレザー５の先端は接触せず、安全性が保たれる。整髪用レザー１を使用するにあたっては、ハンドル部３を指で摘みヘッドカバー７の前面を頭の毛髪に当てれば、毛髪の一部がヘッドカバー７の窓８内に入ってレザー５に接し、整髪用レザー１の全体を下方へスライドさせれば、積層している毛髪をレザー５が順次切断して毛髪がほぼ均等な長さに切り揃えられる。尚、  レザー５とハンドル部分がＴ型になっているためハンドルの動きにより極端に頭髪をカットすることが少ない。また、レザー５の前面を凸面形の縦型セパレータ９でカバーしているので、整髪用レザー１をスライドさせるときに整髪用レザー１の毛髪への当たり角度が変化しても頭皮とレザー５との距離の変化が小さく、カット長が著しく変わることがないので初心者にも扱いやすい。
【００１７】
尚、整髪用レザー１を頭へ押し付ける力に応じて、毛髪を挟んで対峙する頭皮とレザー５との距離が変化し、整髪用レザー１を強く頭へ押し付ければ髪が短くカットされ、整髪用レザー１を浮かし気味にしてカットすればカット量が少なく髪が長めに仕上げられ、ハンドル部３を摘んでいる指にこれらの圧力感覚がフィードバックされるので微妙なコントロールが可能である。
【００１８】
図５は他の実施形態を示し、この整髪用レザー２１のヘッド部２２は、図１乃至図４に示したヘッド部４とヘッドカバー７を一体化したものであり、使用中にヘッドカバーががたついたり脱落したりする虞がなく、また一体構造であるから機械的精度が向上し、ヘッド部の前面とレザーの先端との間隔の個体偏差も解消される。
【００１９】
尚、ヘッドカバーの形状については上記のものに限定するものではなく、他の例を以下に説明する。図６に示すヘッドカバー３１は、図１の窓８の下横枠を取り除いた形状であり、上部の水平横メンバー３２から複数の湾曲したセパレータ３３が垂下してレザー５の前面をカバーしている。図７に示すヘッドカバー４１は、図１の窓８の上横枠を取り除いた形状であって、下部の水平横メンバー４２から複数の湾曲したセパレータ４３が上方へ立ち上がってレザー５の前面をカバーしている。
【００２０】
また、図８に示すヘッドカバー５１は、図６の湾曲したセパレータ３３に代えて上部の水平横メンバー５２に複数の直線状櫛歯５３を並列配置したものであり、図９に示すヘッドカバー６１は、図７の湾曲したセパレータ４３に代えて下部の水平横メンバー６２に複数の直線状櫛歯６３を並列配置したものである。上記変形例においては、図１のフルカバー形のヘッドカバー７よりも成形金型の構造がより単純となるので成形コストの低減が見込まれる。
【００２１】
尚、図６乃至図９においてはヘッドカバー着脱式の構成を示しているが、図５と同様にヘッド部とヘッドカバーが一体の構成であってもよい。また、上記実施形態においては二枚のレザー５を装着した例を示しているが、レザーの枚数はこれに限定するものではなく、一枚刃あるいは三枚刃であってもよいことはいうまでもない。
【００２２】
尚、この発明は上記の実施形態に限定するものではなく、この発明の技術的範囲内において種々の改変が可能であり、この発明がそれらの改変されたものに及ぶことは当然である。
【００２３】
【発明の効果】
以上説明したように、本発明の整髪用レザーは、レザーを保持するヘッド部へハンドル部を直角に接続したＴ型であって、ヘッド部の前面に複数の縦型セパレータ或いは櫛歯を設けて頭皮へレザーが直接接触しないように形成したので安全で小型且つ低コストであり、レザーと髪との当たり具合のコントロールがしやすく、操作性が良好であるのでレザーカット技術に習熟していなくとも良好な仕上がりが得られる。
【００２４】
また、上記縦型セパレータを湾曲した凸面形状とすることによって、整髪用レザーの毛髪への当たり角度が変化しても頭皮とレザーとの距離の変化が小さく、カット長が著しく変わることがないので初心者にも扱いやすい。
【００２５】
また、ヘッド部へ着脱自在なヘッドカバーに縦型セパレータまたは櫛歯を形成することによりレザー部分のメンテナンスが容易であり、また、市販の髭剃り用Ｔ形レザーホルダに装着可能な汎用性を持たせることもできる。
【００２６】
また、ヘッド部に縦型セパレータ或いは櫛歯を一体成形したものにおいては、セパレータ或いは櫛歯の脱落の虞がなく、強度及び精度も向上する。
【図面の簡単な説明】
【図１】本発明の実施の一形態を示し、ヘッドカバー着脱式整髪用レザーの組立図。
【図２】ヘッドカバー着脱式整髪用レザーの斜視図。
【図３】ヘッドカバー着脱式整髪用レザーの側面図。
【図４】ヘッドカバー着脱式整髪用レザーの側面断面図。
【図５】ヘッドカバー一体式整髪用レザーの斜視図。
【図６】ヘッドカバー着脱式整髪用レザーの斜視図。
【図７】ヘッドカバー着脱式整髪用レザーの斜視図。
【図８】ヘッドカバー着脱式整髪用レザーの斜視図。
【図９】ヘッドカバー着脱式整髪用レザーの斜視図。
【符号の説明】
１            整髪用レザー
２            レザーホルダ
３            ハンドル部
４            ヘッド部
５            レザー
６            スペーサ
７            ヘッドカバー
８            窓
９            縦型セパレータ
２１            整髪用レザー
２２            ヘッド部
３１            ヘッドカバー
３３            縦型セパレータ
４１            ヘッドカバー
４３            縦型セパレータ
５１            ヘッドカバー
５３            櫛歯
６１            ヘッドカバー
６３            櫛歯
【図１】
2004243041.tif 000003
【図２】
2004243041.tif 000004
【図３】
2004243041.tif 000005
【図４】
2004243041.tif 000006
【図５】
2004243041.tif 000007
【図６】
2004243041.tif 000008
【図７】
2004243041.tif 000009
【図８】
2004243041.tif 000010
【図９】
2004243041.tif 000011